(57)【要約】【課題】データ通信の混雑度に応じて通信条件を自動的に調整することができる通信システム等を提供すること。【解決手段】ＬＴＥネットワーク３００に接続された基地局１００と、ＬＴＥネットワーク３００に接続され、基地局１００を監視する監視サーバ２００と、を有する通信システム１０００であって、基地局１００は、トラヒック情報と、通信条件とを監視サーバ２００に送信し、監視サーバ２００は、トラヒック情報に基づいて、通信条件を調整し、調整後の通信条件である調整後通信条件を基地局１００に送信する。基地局１００は、受信した調整後通信条件を設定する。【選択図】      図１
2015192316.tif 000002
【特許請求の範囲】
【請求項１】
ネットワークに接続された基地局と、前記ネットワークに接続され、前記基地局を監視する監視サーバと、を有する通信システムであって、
前記基地局は、
前記基地局と前記ネットワークとの間におけるデータ通信の混雑度を表すトラヒック情報を取得する取得部と、
通信する際の通信条件を設定する条件設定部と、
前記トラヒック情報と、前記通信条件とを前記監視サーバに送信する通信情報送信部と、
通信条件受信部と、を備え、
前記監視サーバは、
前記トラヒック情報と、前記通信条件と、を前記基地局から受信する通信情報受信部と、
前記トラヒック情報に基づいて、前記通信条件を調整する調整部と、
調整後の通信条件である調整後通信条件を前記基地局に送信する通信条件送信部と、を備え、
前記通信条件受信部は、前記調整後通信条件を受信し、
前記条件設定部は、前記調整後通信条件を設定する通信システム。
【請求項２】
前記監視サーバは、
前記トラヒック情報と、前記トラヒック情報に対応する所定の閾値とに基づいて、前記通信条件を調整するか否かを判断する判断部を備え、
前記調整部は、前記判断部の判断結果に基づいて、前記通信条件を調整する請求項１に記載の通信システム。
【請求項３】
前記トラヒック情報は、前記基地局と前記ネットワークとの間におけるスループットを少なくとも含み、
前記調整部は、前記通信条件を調整後に予測されるスループットが、前記基地局と前記ネットワークとの間における許容スループット以下になるように、前記通信条件を調整する請求項１又は２に記載の通信システム。
【請求項４】
前記基地局は、
前記通信条件を調整するように要求する要求信号を、前記監視サーバに送信する要求信号送信部と、を備え、
前記監視サーバは、
前記要求信号を受信する要求信号受信部と、を備え、
前記調整部は、前記要求信号を受けたとき、前記トラヒック情報に基づいて、前記通信条件を調整する請求項１から３のいずれか１項に記載の通信システム。
【請求項５】
前記基地局は、
前記基地局の増設又は減設に伴うネットワークトポロジの変更通知を前記監視サーバに送信する通知送信部と、を備え、
前記監視サーバは、
前記通信情報受信部により受信された前記通信条件と前記基地局とを対応付けて記憶する記憶部と、
前記ネットワークトポロジの変更通知を受信する通知受信部と、
前記基地局が減設された場合には、減設された基地局に対応する通信条件を前記記憶部から削除し、前記基地局が増設された場合には、所定の通信条件を、増設された基地局と対応付けて前記記憶部に新たに記憶させる変更部と、を備え、
前記通信条件送信部は、前記基地局が増設された場合、前記記憶部に新たに記憶された所定の通信条件を、増設された基地局に送信し、
前記通信条件受信部は、前記所定の通信条件を受信し、
前記条件設定部は、前記所定の通信条件を設定する請求項１から４のいずれか１項に記載の通信システム。
【請求項６】
前記トラヒック情報は、前記基地局と前記ネットワークとの間におけるスループット、前記基地局と前記ネットワークとの間におけるパケット廃棄率のうち、少なくとも１つを含む請求項１又は２に記載の通信システム。
【請求項７】
前記通信条件は、送信電力、アンテナチルト角、ハンドオーバパラメータのうち、少なくとも１つを含む請求項１から６のいずれか１項に記載の通信システム。
【請求項８】
ネットワークを介して接続される基地局を監視する監視サーバであって、
前記基地局と前記ネットワークとの間におけるデータ通信の混雑度を表すトラヒック情報と、前記基地局に設定された通信する際の通信条件と、を前記基地局から受信する通信情報受信部と、
前記トラヒック情報に基づいて、前記通信条件を調整する調整部と、
調整後の通信条件である調整後通信条件を前記基地局に送信する通信条件送信部と、を備える監視サーバ。
【請求項９】
監視サーバとネットワークを介して接続する基地局であって、
前記基地局と前記ネットワークとの間におけるデータ通信の混雑度を表すトラヒック情報を取得する取得部と、
通信する際の通信条件を設定する条件設定部と、
前記トラヒック情報と、前記通信条件とを前記監視サーバに送信する通信情報送信部と、
前記トラヒック情報に基づいて前記監視サーバにより調整された調整後の通信条件である調整後通信条件を、受信する通信条件受信部と、を備え、
前記条件設定部は、前記調整後通信条件を設定する基地局。
【請求項１０】
ネットワークに接続された基地局と、前記ネットワークに接続され、前記基地局を監視する監視サーバと、を有する通信システムに用いられる通信制御方法であって、
前記基地局が、前記基地局と前記ネットワークとの間におけるデータ通信の混雑度を表すトラヒック情報を取得する取得ステップと、
前記基地局が、通信する際の通信条件を設定する条件設定ステップと、
前記基地局が、前記トラヒック情報と、前記通信条件とを前記監視サーバに送信する通信情報送信ステップと、
前記監視サーバが、前記トラヒック情報と、前記通信条件と、を前記基地局から受信する通信情報受信ステップと、
前記監視サーバが、前記トラヒック情報に基づいて、前記通信条件を調整する調整ステップと、
前記監視サーバが、調整後の通信条件である調整後通信条件を前記基地局に送信する通信条件送信ステップと、
前記基地局が、前記調整後通信条件を受信する通信条件受信ステップと、を含み、
前記条件設定ステップは、前記調整後通信条件を設定する通信制御方法。
【発明の詳細な説明】
【技術分野】
【０００１】
本発明は、通信システム等に関し、例えば、基地局と監視サーバとを有する通信システム等に関する。
【背景技術】
【０００２】
昨今、ネットワークに接続された基地局を有する通信システムが広く普及している。このような通信システムにおいて、例えば、基地局の送信電力やアンテナチルト角やハンドオーバパラメータ等といった基地局に設定される通信条件は、基地局設置時に設定された状態のままであった。
【０００３】
このような基地局に設定される通信条件は、基地局とネットワーク間におけるデータ通信の混雑度に応じて調整されることが望ましい。
【０００４】
なお、基地局を有する通信システムに関連する技術が、例えば、特許文献１に記載されている。
【先行技術文献】
【特許文献】
【０００５】
【特許文献１】国際公開第２０１０／１０４１４３号
【発明の概要】
【発明が解決しようとする課題】
【０００６】
しかしながら、上述した通信条件の調整を基地局の保守者介在のもと実施すると、メンテナンス工数が増大してしまうという問題があった。一方、基地局の保守者介在のもと通信条件が調整されなければ、基地局とネットワーク間におけるデータ通信の混雑度に応じて通信条件が調整されないという問題があった。そのため、例えば、ネットワーク上に想定以上の通信量が流れ込んでしまい、ネットワーク上において輻輳やパケットロスが発生することもある。
【０００７】
本発明は、このような事情を鑑みてなされたものであり、その目的は、データ通信の混雑度に応じて通信条件を自動的に調整することができる通信システム等を提供することにある。
【課題を解決するための手段】
【０００８】
本発明の通信システムは、ネットワークに接続された基地局と、前記ネットワークに接続され、前記基地局を監視する監視サーバと、を有する通信システムであって、前記基地局は、前記基地局と前記ネットワークとの間におけるデータ通信の混雑度を表すトラヒック情報を取得する取得部と、通信する際の通信条件を設定する条件設定部と、前記トラヒック情報と、前記通信条件とを前記監視サーバに送信する通信情報送信部と、通信条件受信部と、を備え、前記監視サーバは、前記トラヒック情報と、前記通信条件と、を前記基地局から受信する通信情報受信部と、前記トラヒック情報に基づいて、前記通信条件を調整する調整部と、調整後の通信条件である調整後通信条件を前記基地局に送信する通信条件送信部と、を備え、前記通信条件受信部は、前記調整後通信条件を受信し、前記条件設定部は、前記調整後通信条件を設定する。
【０００９】
本発明の監視サーバは、ネットワークを介して接続される基地局を監視する監視サーバであって、前記基地局と前記ネットワークとの間におけるデータ通信の混雑度を表すトラヒック情報と、前記基地局に設定された通信する際の通信条件と、を前記基地局から受信する通信情報受信部と、前記トラヒック情報に基づいて、前記通信条件を調整する調整部と、調整後の通信条件である調整後通信条件を前記基地局に送信する通信条件送信部と、を備える。
【００１０】
本発明の基地局は、監視サーバとネットワークを介して接続する基地局であって、前記基地局と前記ネットワークとの間におけるデータ通信の混雑度を表すトラヒック情報を取得する取得部と、通信する際の通信条件を設定する条件設定部と、前記トラヒック情報と、前記通信条件とを前記監視サーバに送信する通信情報送信部と、前記トラヒック情報に基づいて前記監視サーバにより調整された調整後の通信条件である調整後通信条件を、受信する通信条件受信部と、を備え、前記条件設定部は、前記調整後通信条件を設定する。
【００１１】
本発明の通信制御方法は、ネットワークに接続された基地局と、前記ネットワークに接続され、前記基地局を監視する監視サーバと、を有する通信システムに用いられる通信制御方法であって、前記基地局が、前記基地局と前記ネットワークとの間におけるデータ通信の混雑度を表すトラヒック情報を取得する取得ステップと、前記基地局が、通信する際の通信条件を設定する条件設定ステップと、前記基地局が、前記トラヒック情報と、前記通信条件とを前記監視サーバに送信する通信情報送信ステップと、前記監視サーバが、前記トラヒック情報と、前記通信条件と、を前記基地局から受信する通信情報受信ステップと、前記監視サーバが、前記トラヒック情報に基づいて、前記通信条件を調整する調整ステップと、前記監視サーバが、調整後の通信条件である調整後通信条件を前記基地局に送信する通信条件送信ステップと、前記基地局が、前記調整後通信条件を受信する通信条件受信ステップと、を含み、前記条件設定ステップは、前記調整後通信条件を設定する。
【発明の効果】
【００１２】
本発明の通信システム等によれば、データ通信の混雑度に応じて通信条件を自動的に調整することができる。
【図面の簡単な説明】
【００１３】
【図１】本発明の第１の実施の形態における通信システムの構成を示すブロック図である。
【図２】本発明の第１の実施の形態における通信システムの構成の概略を示す概略図である。
【図３】本発明の第１の実施の形態における通信システムの記憶部に基地局毎に記憶される通信条件、トラヒック情報及び許容スループットの一例を示す図である。
【図４】本発明の第１の実施の形態における通信システムの動作フローを示す図である。
【図５】本発明の第２の実施の形態における通信システムの構成を示すブロック図である。
【図６】本発明の第２の実施の形態における通信システムの動作フローを示す図である。
【図７】本発明の第３の実施の形態における通信システムの構成を示すブロック図である。
【図８】本発明の第３の実施の形態における通信システムの動作フローを示す図である。
【図９】本発明の第３の実施の形態における基地局が減設される前又は基地局が新たに増設される前における、記憶部に記憶される基地局と、通信条件、トラヒック情報及び許容スループットとの対応関係の一例を示す図である。
【図１０】本発明の第３の実施の形態における基地局が新たに増設された後における、記憶部に記憶される基地局と、通信条件との対応関係の一例を示す図である。
【発明を実施するための形態】
【００１４】
＜第１の実施の形態＞
図１は、本発明の第１の実施の形態における通信システム１０００の構成を示すブロック図である。図２は、本発明の第１の実施の形態における通信システム１０００の構成の概略を示す概略図である。
【００１５】
以下の説明では、まず、図２を用いて通信システム１０００の構成の概略を説明し、その後に図１を用いて通信システム１０００の詳細な構成を説明する。
【００１６】
まず、図２を用いて、通信システム１０００の構成の概略を説明する。図２に示されるように、通信システム１０００は、少なくとも、基地局１００−１、１００−２及び１００−３と、監視サーバ２００とを有して構成されている。なお、以下の説明では、基地局１００−１、１００−２及び１００−３の各々を特に区別して説明する必要が無い限り、これらを総称して基地局１００とする。
【００１７】
図２に示されるように、基地局１００は、ＬＴＥ（Ｌｏｎｇ  Ｔｅｒｍ  Ｅｖｏｌｕｔｉｏｎ）ネットワーク３００に接続されている。基地局１００は、各セル６００内に設けられている。また、各セル６００内には、携帯電話等の端末装置（不図示）が存在する。基地局１００は、セル６００内の端末装置との間でデータ通信を行う。
【００１８】
なお、ここでは、基地局１００は、３つである例を示しているが、少なくとも１つ以上であればよい。
【００１９】
図２に示されるように、監視サーバ２００は、ＬＴＥネットワーク３００に接続されている。監視サーバ２００は、基地局１００とＬＴＥネットワークを介して接続され、基地局１００を監視する。監視サーバ２００は、Ｏ＆Ｍ（Ｏｐｅｒａｔｉｏｎ  ＆  Ｍａｉｎｔｅｎａｎｃｅ）サーバとも呼ばれる。
【００２０】
図２に示されるように、ＬＴＥネットワーク３００は、基地局１００と、監視サーバ２００と、ＥＰＣ（Ｅｖｏｌｖｅｄ  Ｐａｃｋｅｔ  Ｃｏｒｅ）４００と、にそれぞれ接続されている。ここでは、例示的にＬＴＥ規格に準拠するＬＴＥネットワーク３００の例を示しているが、これに限定されない。例えば、ＬＴＥネットワーク３００に代えて、３Ｇ（３ｒｄ  Ｇｅｎｅｒａｔｉｏｎ）規格に準拠するネットワークであってもよい。なお、ＬＴＥネットワーク３００は、本発明のネットワークに相当する。
【００２１】
図２に示されるように、ＥＰＣ４００は、ＬＴＥネットワーク３００と、コアネットワーク５００とにそれぞれ接続されている。ＥＰＣ４００は、例えば、ＭＭＥ（Ｍｏｂｉｌｉｔｙ  Ｍａｎａｇｅｍｅｎｔ  Ｅｎｔｉｔｙ）やＳ−ＧＷ（Ｓｅｒｖｉｎｇ  Ｇａｔｅｗａｙ）やＰ−ＧＷ（ＰＤＮ  Ｇａｔｅｗａｙ）等から構成されるコアネットワーク群である。
【００２２】
図２に示されるように、コアネットワーク５００は、ＥＰＣ４００に接続されている。コアネットワーク５００は、基幹回線網やバックボーンとも呼ばれる。
【００２３】
次に、図１を用いて、通信システム１０００の詳細な構成を説明する。なお、図１では、図２に示したＥＰＣ４００及びコアネットワーク５００の図示を省略している。ＥＰＣ４００及びコアネットワーク５００は、本発明の構成要件に含まれなくてよい。
【００２４】
まず、基地局１００の詳細な構成について説明する。
【００２５】
図１に示されるように、基地局１００は、取得部１１０と、条件設定部１２０と、通信情報送信部１３０と、通信条件受信部１４０と、第１の制御部１５０とを備えて構成されている。
【００２６】
図１に示されるように、取得部１１０は、第１の制御部１５０に接続されている。取得部１１０は、基地局１００とＬＴＥネットワーク３００との間におけるデータ通信の混雑度を表すトラヒック情報を取得する。
【００２７】
ここでいう基地局１００とＬＴＥネットワーク３００との間とは、基地局１００と監視サーバ２００との間（Ｏ＆Ｍリンク）、又は基地局１００とＥＰＣ４００との間（Ｓ１リンク）を含むものである。
【００２８】
ここでいうデータ通信の混雑度とは、後述する調整部２３２が通信条件を調整する際に用いるデータ通信の混雑度合のことである。
【００２９】
トラヒック情報には、基地局１００とＬＴＥネットワーク３００との間におけるスループット、基地局１００とＬＴＥネットワーク３００との間におけるパケット廃棄率のうち、少なくとも１つが含まれる。
【００３０】
スループットとは、単位時間当たりに流れるデータ通信の通信量のことである。
【００３１】
パケット廃棄率とは、流れたパケットに対して損失したパケットの割合のことである。
【００３２】
また、取得部１１０は、トラヒック情報に加え、基地局１００とＬＴＥネットワーク３００との間における許容スループットも取得する。許容スループットとは、基地局１００とＬＴＥネットワーク３００との間において最大限許容されるスループットの値のことである。この許容スループットは、バックホール回線帯域ともよばれる。
【００３３】
図１に示されるように、条件設定部１２０は、第１の制御部１５０に接続されている。条件設定部１２０は、通信する際の通信条件を設定する。また、条件設定部１２０は、通信条件を記憶している。条件設定部１２０は、後述する通信条件送信部２４０から調整後通信条件が送信されたとき、調整後通信条件を設定する。後述の通り、条件設定部１２０により設定された通信条件に従って、第１の制御部１５０は、基地局１００を制御する。
【００３４】
通信条件は、例えば、基地局１００におけるセル６００のカバレッジや、基地局１００とＬＴＥネットワーク３００との間におけるデータ通信の混雑度や、基地局１００のセル６００内におけるデータ通信の混雑度に影響を与える情報である。
【００３５】
また、通信条件には、基地局１００の送信電力、基地局１００のアンテナチルト角、ハンドオーバパラメータのうち、少なくとも１つが含まれる。
【００３６】
基地局１００の送信電力とは、基地局１００からセル６００内の端末装置に電波を送信する際における電力のことである。
【００３７】
基地局１００のアンテナチルト角とは、基地局１００のアンテナ（不図示）の角度のことである。
【００３８】
ハンドオーバパラメータとは、基地局１００のセル６００内に収容される端末装置が他の基地局１００にハンドオーバする際に影響を及ぼすパラメータである。
【００３９】
ハンドオーバパラメータには、例えば、ＣＩＯ（Ｃｅｌｌ  Ｉｎｄｉｖｉｄｕａｌ  Ｏｆｆｓｅｔ）やＴＴＴ（Ｔｉｍｅ  ｔｏ  Ｔｒｉｇｇｅｒ）等が挙げられる。ここでは、ハンドオーバパラメータが、ＣＩＯである例について説明する。
【００４０】
図１に示されるように、通信情報送信部１３０は、第１の制御部１５０に接続されている。通信情報送信部１３０は、取得部１１０により取得したトラヒック情報と、条件設定部１２０により設定された通信条件とを監視サーバ２００に送信する。また、通信情報送信部１３０は、トラヒック情報及び通信条件に加え、取得部１１０により取得された許容スループットも送信する。
【００４１】
図１に示されるように、通信条件受信部１４０は、第１の制御部１５０に接続されている。通信条件受信部１４０は、監視サーバ２００から、後述する調整部２３２により調整された調整後通信条件を受信する。
【００４２】
図１に示されるように、第１の制御部１５０は、取得部１１０と、条件設定部１２０と、通信情報送信部１３０と、通信条件受信部１４０とにそれぞれ接続されている。第１の制御部１５０は、基地局１００の全体を制御する。第１の制御部１５０は、取得部１１０の取得結果を取得し、その取得結果を通信情報送信部１３０に出力する。第１の制御部１５０は、通信条件受信部１４０の受信結果を取得し、その受信結果を条件設定部１２０に出力する。
【００４３】
また、第１の制御部１５０は、条件設定部１２０により設定された通信条件に従って、基地局１００を制御する。例えば、第１の制御部１５０は、アンテナチルト角の値に従って、アンテナチルト角を調整する。
【００４４】
次に、監視サーバ２００の詳細な構成について説明する。
【００４５】
図１に示されるように、監視サーバ２００は、通信情報受信部２１０と、記憶部２２０と、第２の制御部２３０と、通信条件送信部２４０とを備えて構成されている。
【００４６】
図１に示されるように、通信情報受信部２１０は、第２の制御部２３０に接続されている。通信情報受信部２１０は、通信情報送信部１３０により送信されるトラヒック情報及び通信条件を受信する。また、通信情報受信部２１０は、これらトラヒック情報及び通信条件に加え、通信情報送信部１３０により送信される許容スループットも受信する。
【００４７】
図１に示されるように、記憶部２２０は、第２の制御部２３０に接続されている。記憶部２２０は、通信情報受信部２１０により受信された通信条件を基地局１００毎に記憶する。また、記憶部２２０は、通信条件に加え、通信情報受信部２１０により受信されたトラヒック情報及び許容スループットも、基地局１００毎に記憶する。
【００４８】
記憶部２２０は、調整部２３２により、通信条件の調整があった場合、調整部２３２により調整された調整後の通信条件である調整後通信条件を、調整前の通信条件と置き換えて記憶する。
【００４９】
ここで、図３を用いて、基地局１００と、通信条件、トラヒック情報及び許容スループットとの対応関係について説明する。図３は、記憶部２２０に基地局１００毎に記憶される通信条件、トラヒック情報及び許容スループットの一例を示す図である。
【００５０】
図３に示されるように、各基地局１００毎に、ネットワークパラメータ、許容スループット、通信条件及びトラヒック情報とが各々対応付けられて記憶されている。
【００５１】
ネットワークパラメータには、図３に示されるように、ＩＰ（Ｉｎｔｅｒｎｅｔ  Ｐｒｏｔｏｃｏｌ）アドレス、サブネットマスク、ゲートウェイ及びＭＴＵ（Ｍａｘｉｍｕｍ  Ｔｒａｎｓｍｉｓｓｉｏｎ  Ｕｎｉｔ）等が含まれる。ネットワークパラメータは、監視サーバ２００から基地局１００に対して割り当てられる。本発明では、ネットワークパラメータについての詳細な説明を省略する。
【００５２】
図３の（１）に示されるように、基地局１００−１について、許容スループットＸ１［ｂｐｓ］、送信電力ａ１［ｄＢ］、アンテナチルト角ａ２［度］、ＣＩＯａ３、スループットＡ１［ｂｐｓ］及びパケット廃棄率Ｂ１［％］とがそれぞれ記憶部２２０に記憶されている。
【００５３】
図３の（２）及び（３）は、基地局１００−２、１００−３の各種情報が、記憶部２２０に記憶されていることを示す。なお、具体的内容については図３の（１）と同様のため説明を省略する。
【００５４】
図１に戻って、第２の制御部２３０は、通信情報受信部２１０と、記憶部２２０と、通信条件送信部２４０とにそれぞれ接続されている。第２の制御部２３０は、監視サーバ２００の全体を制御する。第２の制御部２３０は、通信情報受信部２１０の受信結果を取得し、その受信結果を記憶部２２０に出力する。
【００５５】
また、第２の制御部２３０は、調整部２３２の調整結果を記憶部２２０及び通信条件送信部２４０に出力する。
【００５６】
図１に示されるように、第２の制御部２３０は、判断部２３１と、調整部２３２とを備えて構成されている。
【００５７】
判断部２３１は、トラヒック情報と、トラヒック情報に対応する所定の閾値とに基づいて、通信条件を調整するか否かを判断する。判断部２３１の詳細な動作については後述する。なお、この判断部２３１は、通信条件を調整するか否かを判断するためのものである。そのため、通信条件を調整するか否かを判断する必要がない場合には、判断部２３１は本発明に必ずしも必要ではない。
【００５８】
調整部２３２は、判断部２３１の判断結果及びトラヒック情報に基づいて、記憶部２２０に記憶されている通信条件を調整する。調整部２３２に詳細な動作については後述する。
【００５９】
また、トラヒック情報に基地局１００とＬＴＥネットワーク３００との間におけるスループットが含まれる場合、調整部２３２は、通信条件を調整後に予測されるスループットが、許容スループット以下になるように、通信条件を調整する。
【００６０】
図１に示されるように、通信条件送信部２４０は、第２の制御部２３０に接続されている。通信条件送信部２４０は、調整部２３２により調整された調整後の通信条件である調整後通信条件を基地局１００に送信する。
【００６１】
次に、図４を用いて、通信システム１０００の動作を説明する。図４は、通信システム１０００の動作フローを示す図である。
【００６２】
ここでは特に、基地局１００−１と監視サーバ２００との間における処理について説明する。
【００６３】
また、ここでは、まず、基地局１００−１は、図３の（１）に示した通信条件で動作しているものとする。
【００６４】
まず、図４に示されるように、取得部１１０は、トラヒック情報（スループット、パケット廃棄率）及び許容スループットを取得する（ステップ（以下、Ｓとする）１１０）。
【００６５】
次に、通信情報送信部１３０は、Ｓ１１０の処理において取得したトラヒック情報及び許容スループット並びに条件設定部１２０に設定された通信条件（送信電力ａ１、アンテナチルト角ａ２及びＣＩＯａ３）を、監視サーバ２００に送信する（Ｓ１２０）。
【００６６】
通信情報受信部２１０は、通信情報送信部１３０から送信されたトラヒック情報、許容スループット及び通信条件を受信する（Ｓ１３０）。第２の制御部２３０は、これらの情報を取得し、記憶部２２０へ出力する。
【００６７】
記憶部２２０は、第２の制御部２３０の指示に従って、図３を用いて前述したように、基地局１００−１と、トラヒック情報、許容スループット及び通信条件と、を対応付けて記憶する（Ｓ１４０）。
【００６８】
判断部２３１は、トラヒック情報と、トラヒック情報に対応する所定の閾値とに基づいて、通信条件を調整するか否かを判断する（Ｓ１５０）。
【００６９】
ここで、判断部２３１が、スループットＡ１［ｂｐｓ］及びパケット廃棄率Ｂ１［％］を用いて、通信条件を調整するか否かを判断する動作について説明する。
【００７０】
まず、判断部２３１が、スループットＡ１［ｂｐｓ］を用いて通信条件を調整するか否かを判断する動作について説明する。
【００７１】
判断部２３１は、例えば、スループットＡ１［ｂｐｓ］＞閾値Ｔｈｒｐｔ１［ｂｐｓ］の場合、又はスループットＡ１［ｂｐｓ］＜閾値Ｔｈｒｐｔ２［ｂｐｓ］の場合、通信条件を調整する必要があると判断する。なお、閾値Ｔｈｒｐｔ１は、閾値Ｔｈｒｐｔ２よりも大きいものとする。また、閾値Ｔｈｒｐｔ１及びＴｈｒｐｔ２は、監視サーバ２００の管理者が任意に設定できるものとする。
【００７２】
次に、判断部２３１が、パケット廃棄率Ｂ１を用いて通信条件を調整するか否かを判断する動作について説明する。
【００７３】
判断部２３１は、例えば、パケット廃棄率Ｂ１［％］＞閾値Ｐ１［％］の場合、又はパケット廃棄率Ｂ１［％］＜閾値Ｐ２［％］の場合、通信条件を調整する必要があると判断する。なお、閾値Ｐ１は、閾値Ｐ２よりも大きいものとする。また、閾値Ｐ１及びＰ２は、監視サーバ２００の管理者が任意に設定できるものとする。
【００７４】
なお、判断部２３１は、スループットＡ１［ｂｐｓ］のみを用いて、通信条件を調整するか否かを判断してもよい。また、判断部２３１は、パケット廃棄率Ｂ１［％］のみを用いて、通信条件を調整するか否かを判断してもよい。さらに、判断部２３１は、スループットＡ１［ｂｐｓ］及びパケット廃棄率Ｂ１［％］の両方を用いて、通信条件を調整するか否かを判断してもよい。
【００７５】
図４に戻って、判断部２３１が通信条件を調整すると判断した場合（Ｓ１６０、ＹＥＳ）、調整部２３２は、通信条件を調整する（Ｓ１７０）。
【００７６】
一方、判断部２３１が通信条件を調整しないと判断した場合（Ｓ１６０、ＮＯ）、調整部２３２は何も処理を行わずに動作を終了する。
【００７７】
ここで、Ｓ１７０の処理について、調整部２３２が、スループットＡ１［ｂｐｓ］及びパケット廃棄率Ｂ１［％］に基づいて、通信条件を調整する動作について説明する。
【００７８】
まず、前述したように、スループットＡ１［ｂｐｓ］＜閾値Ｔｈｒｐｔ２［ｂｐｓ］（又はパケット廃棄率Ｂ１［％］＜閾値Ｐ２［％］）の場合について説明する。
【００７９】
この場合、調整部２３２は、送信電力ａ１［ｄＢ］を増加、アンテナチルト角ａ２［度］を増減又はＣＩＯａ３を減少させるといった調整を行う。
【００８０】
送信電力ａ１［ｄＢ］を増加させた場合、基地局１００−１のセル６００におけるデータ通信の通信量が増加する。また、ＣＩＯａ３を減少させた場合も同様に、基地局１００−１のセル６００内の端末装置が他の基地局１００−１のセル６００に移動（ハンドオーバ）することを抑制するため、基地局１００−１のセル６００におけるデータ通信の通信量が増加する。なお、アンテナチルト角ａ２［度］の調整方法については、限定されない。
【００８１】
基地局１００−１のセル６００におけるデータ通信の通信量が増加することにより、基地局１００−１とＬＴＥネットワーク３００との間におけるデータ通信の通信量は増加する。このようにして、調整部２３２は、スループットＡ１［ｂｐｓ］を増加させる。
【００８２】
なお、調整部２３２がスループットＡ１［ｂｐｓ］をどの程度まで増加させるかについては限定されない。例えば、調整部２３２は、各基地局１００とＬＴＥネットワーク３００との間の総データ通信量等を鑑みてスループットＡ１［ｂｐｓ］の増加量を調整してもよい。
【００８３】
このとき、調整部２３２は、通信条件を調整後に予測されるスループット（Ａ２［ｂｐｓ］とする）が、許容スループットＸ１［ｂｐｓ］以下になるように、通信条件を調整する。
【００８４】
また、調整部２３２は、通信条件を調整後に予測されるパケット廃棄率（Ｂ２［％］とする）が、許容されるパケット廃棄率（Ｙ１［％］とする）以下になるように、通信条件を調整してもよい。許容されるパケット廃棄率は、例えば、監視サーバ２００の管理者が任意に設定できるものとする。これにより、調整部２３２は、パケット廃棄率が必要以上に高くなることを防止できる。
【００８５】
また、調整部２３２がどの通信条件を調整するかについては限定されない。
【００８６】
次に、前述したように、スループットＡ１［ｂｐｓ］＞閾値Ｔｈｒｐｔ１［ｂｐｓ］（又はパケット廃棄率Ｂ１［％］＞閾値Ｐ１［％］）の場合について説明する。
【００８７】
この場合、調整部２３２は、送信電力ａ１［ｄＢ］を減少、アンテナチルト角ａ２［度］を増減又はＣＩＯａ３を増加させるといった調整を行う。
【００８８】
送信電力ａ１［ｄＢ］を減少させた場合、基地局１００−１のセル６００におけるデータ通信の通信量が減少する。また、ＣＩＯａ３を増加させた場合も同様に、基地局１００のセル６００内の端末装置が他の基地局１００−１のセル６００に移動（ハンドオーバ）することを促進するため、基地局１００−１のセル６００におけるデータ通信の通信量が減少する。なお、アンテナチルト角ａ２［度］の調整方法については、限定されない。
【００８９】
基地局１００−１のセル６００におけるデータ通信の通信量が減少することにより、基地局１００−１とＬＴＥネットワーク３００との間におけるデータ通信の通信量は減少する。このようにして、調整部２３２は、スループットＡ１［ｂｐｓ］を減少させる。これにより、他の基地局１００とＬＴＥネットワーク３００との間におけるデータ通信の混雑度に影響を与えることを防止できる。
【００９０】
なお、調整部２３２がスループットＡ１［ｂｐｓ］をどの程度まで減少させるかについては限定されない。例えば、調整部２３２は、各基地局１００とＬＴＥネットワーク３００との間の総データ通信量等を鑑みてスループットＡ１［ｂｐｓ］の減少量を調整してもよい。
【００９１】
このとき、調整部２３２は、通信条件を調整後に予測されるスループットＡ２［ｂｐｓ］が、最低限保証すべきスループット（Ｚ１［ｂｐｓ］とする）以上になるように、通信条件を調整するようにしてもよい。これにより、調整部２３２は、スループットが必要以上に低くなることを防止できる。
【００９２】
図４に戻って、通信条件送信部２４０は、調整部２３２により調整された調整後の通信条件である調整後通信条件を基地局１００に送信する（Ｓ１８０）。
【００９３】
記憶部２２０は、第２の制御部２３０の指示に従って、調整部２３２により調整された調整後通信条件を、調整前の通信条件と置き換えて記憶する（Ｓ１９０）。
【００９４】
通信条件受信部１４０は、通信条件送信部２４０により送信された調整後通信条件を受信する（Ｓ２００）。
【００９５】
最後に、条件設定部１２０は、調整後通信条件を設定する（Ｓ２１０）。そして、基地局１０００−１の第１の制御部１５０は、調整後の通信条件に従って、基地局１００−１を制御する。
【００９６】
なお、Ｓ２１０の処理の後、基地局１００−１は、所定の周期でトラヒック情報を取得し、監視サーバ２００に送信してもよい。そして、監視サーバ２００は、所定の周期で取得されたトラヒック情報に基づいて、通信条件を調整してもよい。
【００９７】
また、監視サーバ２００は、基地局１００−１に対して、トラヒック情報、許容スループット値及び通信条件を送信するように命令する命令信号を送信してもよい。基地局１００−１は、この命令信号を受信したとき、トラヒック情報、許容スループット値及び通信条件を監視サーバ２００に送信することにしてもよい。
【００９８】
以上に説明したように、本発明の第１の実施の形態における通信システム１０００は、ＬＴＥネットワーク３００に接続された基地局１００と、ＬＴＥネットワーク３００に接続され、基地局１００を監視する監視サーバ２００と、を有する通信システム１０００であって、基地局１００は、基地局１００とＬＴＥネットワーク３００との間におけるデータ通信の混雑度を表すトラヒック情報を取得する取得部１１０と、通信する際の通信条件を設定する条件設定部１２０と、トラヒック情報と、通信条件とを監視サーバ２００に送信する通信情報送信部１３０と、通信条件受信部１４０と、を備え、監視サーバ２００は、トラヒック情報と、通信条件と、を基地局１００から受信する通信情報受信部２１０と、トラヒック情報に基づいて、通信条件を調整する調整部２３２と、調整後の通信条件である調整後通信条件を基地局１００に送信する通信条件送信部２４０と、を備え、通信条件受信部１４０は、調整後通信条件を受信し、条件設定部１２０は、調整後通信条件を設定する。
【００９９】
このように、基地局１００は、基地局１００とＬＴＥネットワーク３００との間におけるデータ通信の混雑度を表すトラヒック情報と、通信条件とを監視サーバ２００に送信し、監視サーバ２００は、トラヒック情報に基づいて通信条件を調整する。また、基地局１００は、通信条件送信部２４０により送信された調整後通信条件を設定する。
【０１００】
これにより、基地局１００とＬＴＥネットワーク３００との間におけるデータ通信の混雑度に応じて、通信条件を調整することができる。この結果、基地局１００の保守者が通信条件を設定する場合と比較して、基地局１００の保守運営費を低減することができ、低コスト化を図ることができる。また、基地局１００の保守者が通信条件を調整する必要がないので、保守者により通信条件の調整ミス等といったオペレーションミスを抑制することができる。
【０１０１】
また、通信条件を調整することにより、基地局１００とＬＴＥネットワーク３００との間におけるスループットを調整することができる。その結果、基地局１００とＬＴＥネットワーク３００との間におけるデータ通信のネットワークリソース（回線帯域等）を有効活用できる。また、基地局１００とＬＴＥネットワーク３００との間における輻輳やパケットロスを低減することができる。
【０１０２】
また、本発明の通信システム１０００において、監視サーバ２００は、トラヒック情報と、トラヒック情報に対応する所定の閾値とに基づいて、通信条件を調整するか否かを判断する判断部２３１を備え、調整部２３２は、判断部２３１の判断結果に基づいて、通信条件を調整する。
【０１０３】
これにより、例えば、基地局１００とＬＴＥネットワーク３００との間におけるデータ通信の状況に応じて、監視サーバ２００の管理者が閾値を設定することで、基地局１００とＬＴＥネットワーク３００との間における輻輳やパケットロスをより低減することができる。また、基地局１００とＬＴＥネットワーク３００との間におけるデータ通信のネットワークリソース（回線帯域等）をより有効活用できる。
【０１０４】
また、本発明の通信システム１０００において、トラヒック情報は、基地局１００とＬＴＥネットワーク３００との間におけるスループットを少なくとも含み、調整部２３２は、通信条件を調整後に予測されるスループットが、基地局１００とＬＴＥネットワーク３００との間における許容スループット以下になるように、通信条件を調整する。
【０１０５】
これにより、基地局１００とＬＴＥネットワーク３００との間におけるデータ通信のネットワークリソース（回線帯域等）をより有効活用できる。
【０１０６】
また、本発明の通信システム１０００において、トラヒック情報は、基地局１００とＬＴＥネットワーク３００との間におけるスループット、基地局１００とＬＴＥネットワーク３００との間におけるパケット廃棄率のうち、少なくとも１つを含む。
【０１０７】
これにより、調整部２３２は、基地局１００とＬＴＥネットワーク３００との間におけるスループット又は基地局１００とＬＴＥネットワーク３００との間におけるパケット廃棄率に基づいて、通信条件を調整することができる。その結果、基地局１００とＬＴＥネットワーク３００との間における輻輳やパケットロスをより効果的に低減することができる。
【０１０８】
また、本発明の監視サーバ２００は、ＬＴＥネットワーク３００を介して接続される基地局１００を監視する監視サーバ２００であって、基地局１００とＬＴＥネットワーク３００との間におけるデータ通信の混雑度を表すトラヒック情報と、基地局１００に設定された通信する際の通信条件と、を基地局１００から受信する通信情報受信部２１０と、トラヒック情報に基づいて、通信条件を調整する調整部２３２と、調整後の通信条件である調整後通信条件を基地局１００に送信する通信条件送信部２４０と、を備える。
【０１０９】
このように、監視サーバ２００は、トラヒック情報に基づいて、通信条件を調整し、調整後の通信条件である調整後通信条件を基地局１００に送信するので、上述した通信システム１０００と同様の作用効果を奏する。
【０１１０】
また、本発明の基地局１００は、監視サーバ２００とＬＴＥネットワーク３００を介して接続する基地局１００であって、基地局１００とＬＴＥネットワーク３００との間におけるデータ通信の混雑度を表すトラヒック情報を取得する取得部１１０と、通信する際の通信条件を設定する条件設定部１２０と、トラヒック情報と、通信条件とを監視サーバ２００に送信する通信情報送信部１３０と、トラヒック情報に基づいて監視サーバ２００により調整された調整後の通信条件である調整後通信条件を、受信する通信条件受信部１４０と、を備え、条件設定部１２０は、調整後通信条件を設定する。
【０１１１】
このように、基地局１００は、トラヒック情報と、通信条件とを監視サーバ２００に送信し、トラヒック情報に基づいて監視サーバ２００により調整された調整後の通信条件である調整後通信条件を設定する。この結果、基地局１００は、上述した通信システム１０００と同様の作用効果を奏する。
【０１１２】
また、本発明の通信制御方法は、ＬＴＥネットワーク３００に接続された基地局１００と、ＬＴＥネットワーク３００に接続され、基地局１００を監視する監視サーバ２００と、を有する通信システム１０００に用いられる通信制御方法であって、基地局１００が、基地局１００とＬＴＥネットワーク３００との間におけるデータ通信の混雑度を表すトラヒック情報を取得する取得ステップと、基地局１００が、通信する際の通信条件を設定する条件設定ステップと、基地局１００が、トラヒック情報と、通信条件とを監視サーバ２００に送信する通信情報送信ステップと、監視サーバ２００が、トラヒック情報と、通信条件と、を基地局１００から受信する通信情報受信ステップと、監視サーバ２００が、トラヒック情報に基づいて、通信条件を調整する調整ステップと、監視サーバ２００が、調整後の通信条件である調整後通信条件を基地局１００に送信する通信条件送信ステップと、基地局１００が、調整後通信条件を受信する通信条件受信ステップと、を含み、条件設定ステップは、調整後通信条件を設定する。
【０１１３】
この通信制御方法は、上述した通信システム１０００のシステムの発明を方法の発明としたものであるから、上述した通信システム１０００と同様の作用効果を奏する。
【０１１４】
＜第２の実施の形態＞
図５を用いて、本発明の第２の実施の形態における通信システム１０００Ａの詳細な構成を説明する。図５は、通信システム１０００Ａの構成を示すブロック図である。なお、図５では、図１〜４で示した各構成要素と同等の構成要素には、図１〜４で示した符号と同等の符号を付している。
【０１１５】
図５に示されるように、通信システム１０００Ａは、基地局１００Ａ−１、１００Ａ−２及び１００Ａ−３と、監視サーバ２００Ａとを有して構成されている。なお、以下の説明では、基地局１００Ａ−１、１００Ａ−２及び１００Ａ−３の各々を特に区別して説明する必要がない限り、これらを総称して基地局１００Ａとする。
【０１１６】
図５に示されるように、基地局１００Ａは、取得部１１０と、条件設定部１２０と、通信情報送信部１３０と、通信条件受信部１４０と、第１の制御部１５０と、要求信号送信部１６０とを備えて構成されている。
【０１１７】
図５に示されるように、監視サーバ２００Ａは、通信情報受信部２１０と、記憶部２２０と、第２の制御部２３０Ａと、通信条件送信部２４０と、要求信号受信部２５０とを備えて構成されている。第２の制御部２３０Ａは、判断部２３１と、調整部２３２Ａとを含んで構成されている。
【０１１８】
ここで、図１と図５とを対比する。図５では、基地局１００Ａは要求信号送信部１６０を更に備え、監視サーバ２００は要求信号受信部２５０を更に備えた点で、図１に示される基地局１００及び監視サーバ２００と互いに相違する。以下の説明では、図１で示した構成と同等の構成については説明を省略する。
【０１１９】
図５に示されるように、要求信号送信部１６０は、第１の制御部１５０に接続されている。要求信号送信部１６０は、通信条件を調整するように要求する要求信号を、監視サーバ２００Ａに送信する。
【０１２０】
図５に示されるように、要求信号受信部２５０は、第２の制御部２３０Ａに接続されている。要求信号受信部２５０は、要求信号送信部１６０から送信された要求信号を受信する。
【０１２１】
調整部２３２Ａは、要求信号を受けたとき、トラヒック情報に基づいて、通信条件を調整する。
【０１２２】
次に、図６を用いて、通信システム１０００Ａの動作について詳細に説明する。図６は、通信システム１０００Ａの動作フローを示す図である。
【０１２３】
ここでは、例えば、基地局１００の保守者が、基地局１００Ａ−１に対してファイルアップグレードを行う場合を想定する。また、アップグレードファイルを基地局１００Ａ−１に高速にダウンロードさせるため、基地局１００Ａ−１とＬＴＥネットワーク３００との間のデータ通信の通信量を低減させる場合を想定する。
【０１２４】
また、ここでは、基地局１００Ａ−１は、トラヒック情報、許容スループット値及び通信条件を、既に監視サーバ２００に送信しているものとする。
【０１２５】
まず、要求信号送信部１６０は、要求信号を送信する（Ｓ３００）。この場合、例えば、要求信号送信部１６０は、基地局１００Ａ−１とＬＴＥネットワーク３００との間のデータ通信の通信量を低減させるような通信条件の調整をするように要求する。なお、要求信号送信部１６０は、単にイベント（ファイルアップグレード）を通知する旨の要求信号を、送信するようにしてもよい。
【０１２６】
次に、要求信号受信部２５０は、要求信号を受信する（Ｓ３１０）。
【０１２７】
調整部２３２Ａは、要求信号を受けたとき、トラヒック情報に基づいて、通信条件を調整する（Ｓ３２０）。
【０１２８】
この場合、Ｓ３００の処理において前述したように、要求信号が、基地局１００Ａ−１とＬＴＥネットワーク３００との間のデータ通信の通信量を低減させるような要求を含むものである。従って、調整部２３２Ａは、この要求信号を受けたとき、トラヒック情報に基づいて、基地局１００Ａ−１とＬＴＥネットワーク３００との間のデータ通信の通信量を低減させるように、通信条件を調整する。調整部２３２Ａが通信条件を調整する方法については、第１の実施の形態において説明したため省略する。
【０１２９】
なお、要求信号送信部１６０から単にイベント（ファイルアップグレード）を通知する旨の要求信号を受信した場合、調整部２３２Ａは、このイベント（ファイルアップグレード）に基づいた調整を行うものとしてもよい。
【０１３０】
この場合、例えば、各イベント毎に通信条件の調整内容（例えば、送信電力を増加させる等）が対応付けられて記憶部２２０に記憶されている。そして、調整部２３２Ａは、要求信号中のイベントに対応付けられた通信条件の調整内容に応じて、通信条件を調整するものとしてもよい。
【０１３１】
図６に戻って、Ｓ３２０の処理の後、監視サーバ２００は、図４に示したＳ１８０以降の処理を行う。
【０１３２】
なお、Ｓ３２０の処理において、監視サーバ２００の通信受信部２１０は、基地局１００Ａ−１からトラヒック情報を受信してもよい。
【０１３３】
以上に説明したように、本発明の第２の実施の形態における通信システム１０００Ａにおいて、基地局１００Ａは、通信条件を調整するように要求する要求信号を、監視サーバ２００Ａに送信する要求信号送信部１６０と、を備え、監視サーバ２００Ａは、要求信号を受信する要求信号受信部２５０と、を備え、調整部２３２Ａは、要求信号を受けたとき、トラヒック情報に基づいて、通信条件を調整する。
【０１３４】
これにより、例えば、基地局１００Ａの保守状況（ファイルアップグレード等）に応じて、通信条件を調整することができる。
【０１３５】
＜第３の実施の形態＞
図７を用いて、本発明の第３の実施の形態における通信システム１０００Ｂの詳細な構成を説明する。図７は、通信システム１０００Ｂの構成を示すブロック図である。なお、図７では、図１〜６で示した各構成要素と同等の構成要素には、図１〜６で示した符号と同等の符号を付している。
【０１３６】
図７に示されるように、通信システム１０００Ｂは、基地局１００Ｂ−１、１００Ｂ−２及び１００Ｂ−３と、監視サーバ２００Ｂとを有して構成されている。なお、以下の説明では、基地局１００Ｂ−１、１００Ｂ−２及び１００Ｂ−３の各々を特に区別して説明する必要がない限り、これらを総称して基地局１００Ｂとする。
【０１３７】
図７に示されるように、基地局１００Ｂは、取得部１１０と、条件設定部１２０Ａと、通信情報送信部１３０と、通信条件受信部１４０Ａと、第１の制御部１５０と、通知送信部１７０とを備えて構成されている。
【０１３８】
図７に示されるように、監視サーバ２００Ｂは、通信情報受信部２１０と、記憶部２２０Ａと、第２の制御部２３０Ｂと、通信条件送信部２４０Ａと、通知受信部２６０とを備えて構成されている。第２の制御部２３０Ｂは、判断部２３１と、調整部２３２と、変更部２３３とを含んで構成されている。
【０１３９】
ここで、図１と図７とを対比する。図７では、基地局１００Ｂは通知送信部１７０を更に備え、監視サーバ２００Ｂは通知受信部２６０を更に備えた点で、図１に示される基地局１００及び監視サーバ２００と互いに相違する。また、図７では、第２の制御部２３０Ｂは、変更部２３３を更に備えた点で、図１に示される第２の制御部２３０と互いに相違する。以下の説明では、図１で示した構成と同等の構成については説明を省略する。
【０１４０】
図７に示されるように、通知送信部１７０は、第１の制御部１５０に接続されている。通知送信部１７０は、基地局１００Ｂの増設又は減設に伴うネットワークトポロジの変更通知を監視サーバ２００Ｂに送信する。ここでいうネットワークトポロジとは、ＬＴＥネットワーク３００にどのような基地局１００Ｂが接続されているか等といったＬＴＥネットワーク３００の構成情報のことである。
【０１４１】
基地局１００Ｂが、基地局１００Ｂの増減を検出する動作については既知の技術を用いることができる。例えば、基地局１００Ｂは、自身のセル６００に隣接する他のセル６００の増減を検出することにより、基地局１００Ｂが増減したことを検出することができる。
【０１４２】
記憶部２２０Ａは、図３を用いて前述したように、通信情報受信部２１０により受信された通信条件と基地局２００Ｂとを対応付けて記憶する。
【０１４３】
図７に示されるように、通知受信部２６０は、第２の制御部２３０Ｂに接続されている。通知受信部２６０は、ネットワークトポロジの変更通知を受信する。
【０１４４】
変更部２３３は、基地局１００Ｂが減設された場合には、減設された基地局１００Ｂに対応する通信条件を記憶部２２０Ａから削除し、基地局２００Ｂが増設された場合には、所定の通信条件を、増設された基地局２００Ｂと対応付けて記憶部２２０Ａに新たに記憶させる。
【０１４５】
通信条件送信部２４０Ａは、基地局２００Ｂが増設された場合、記憶部２２０Ａに新たに記憶された所定の通信条件を、増設された基地局１００Ｂに送信する。
【０１４６】
通信条件受信部１４０Ａは、通信条件送信部２４０Ａから送信される所定の通信条件を受信する。
【０１４７】
条件設定部１２０Ａは、所定の通信条件を設定する。
【０１４８】
次に、図８を用いて、通信システム１０００Ｂの動作について詳細に説明する。図８は、通信システム１０００Ｂの動作フローを示す図である。
【０１４９】
ここでは、基地局１００Ｂ−１が、ネットワークトポロジの変更通知を監視サーバ２００Ｂに送信する場合を想定する。また、基地局１００Ｂ−２が減設された場合と、基地局１００Ｂ−３が新たに増設された場合を想定する。
【０１５０】
監視サーバ２００Ｂは、基地局１００Ｂ−１及び１００Ｂ−２から、トラヒック情報、許容スループット及び通信条件を既に受信しているものとする。
【０１５１】
ここで、図９を用いて、基地局１００Ｂ−２が減設される前又は基地局１００Ｂ−３が新たに増設される前における、記憶部２２０Ａに記憶される基地局１００Ｂと、通信条件、トラヒック情報及び許容スループットとの対応関係について説明する。
【０１５２】
図９は、基地局１００Ｂ−２が減設される前又は基地局１００Ｂ−３が新たに増設される前における、記憶部２２０Ａに記憶される基地局１００Ｂと、通信条件、トラヒック情報及び許容スループットとの対応関係の一例を示す図である。
【０１５３】
図９の（１）では、基地局１００Ｂ−１と、許容スループットＸ１［ｂｐｓ］、送信電力ａ１［ｄＢ］、アンテナチルト角ａ２［度］、ＣＩＯａ３、スループットＡ１［ｂｐｓ］及びパケット廃棄率Ｂ１［％］とがそれぞれ対応付けられている場合を示している。図９の（２）は、図５の（１）と同様のため説明を省略する。
【０１５４】
図８に戻って、まず、基地局１００Ｂ−１の通知送信部１７０は、基地局１００Ｂ−３の増設又は基地局１００Ｂ−２の減設に伴うネットワークトポロジの変更通知を送信する（Ｓ４００）。
【０１５５】
監視サーバ２００Ｂの通知受信部２６０は、ネットワークトポロジの変更通知を受信する（Ｓ４１０）。
【０１５６】
変更部２３３は、基地局１００Ｂ−２が減設された場合（Ｓ４２０、減設）、減設された基地局１００Ｂ−２に対応する通信条件を記憶部２２０Ａから削除する（Ｓ４３０）。この場合、変更部２３３は、図９の（２）に示した通信条件を削除する。このとき、変更部２３３は、図９の（２）に示す通信条件に加え、図９の（２）に示した基地局リスト、ネットワークパラメータ、許容スループット及びトラヒック情報を削除してもよい。
【０１５７】
一方、変更部２３３は、基地局１００Ｂ−３が増設された場合（Ｓ４２０、増設）、所定の通信条件を、増設された基地局１００Ｂ−３と対応付けて記憶部２２０Ａに新たに記憶させる（Ｓ４４０）。
【０１５８】
ここで、図１０を用いて、基地局１００Ｂ−３が新たに増設された後における、記憶部２２０Ａに記憶される基地局１００Ｂ−３と、通信条件との対応関係について説明する。
【０１５９】
図１０は、基地局１００Ｂ−３が新たに増設された後における、記憶部２２０Ａに記憶される基地局１００Ｂ−３と、通信条件との対応関係の一例を示す図である。
【０１６０】
図１０の（３）では、基地局１００Ｂ−３と、所定の通信条件とが対応付けられている場合を示している。なお、図１０の（３）では、所定の通信条件の図示を省略している。所定の通信条件は、例えば、監視サーバ２００Ｂに予め設定されている。また、所定の通信条件は、例えば、監視サーバ２００Ｂの管理者により任意に設定されてもよい。
【０１６１】
図８に戻って、監視サーバ２００Ｂの通信条件送信部２４０Ａは、記憶部２２０Ａに記憶され基地局１００Ｂ−２に対応付けられた所定の通信条件を、基地局１００Ｂ−３に送信する（Ｓ４５０）。
【０１６２】
基地局１００Ｂ−３の通信条件受信部１４０Ａは、所定の通信条件を受信する（Ｓ４６０）。
【０１６３】
最後に、基地局１００Ｂ−３の条件設定部１２０Ａは、所定の通信条件を設定する（Ｓ４７０）。そして、第１の制御部１５０が、条件設定部１２０Ａにより設定された通信条件に従って、基地局１００Ｂ−３を制御する。
【０１６４】
なお、Ｓ４７０の処理の後、基地局１００Ｂ−３は、図４のＳ１１０の処理を行ってもよい。これにより、基地局１００Ｂ−３は、基地局１００Ｂ−３とＬＴＥネットワーク３００との間におけるデータ通信の混雑度に応じて、通信条件を調整することができる。
【０１６５】
以上に説明したように、本発明の第３の実施の形態における通信システム１０００Ｂにおいて、基地局１００Ｂは、基地局１００Ｂの増設又は減設に伴うネットワークトポロジの変更通知を監視サーバ２００Ｂに送信する通知送信部１７０と、を備え、監視サーバ２００Ｂは、通信情報受信部２１０により受信された通信条件と基地局２００Ｂとを対応付けて記憶する記憶部２２０Ａと、ネットワークトポロジの変更通知を受信する通知受信部２６０と、基地局１００Ｂが減設された場合には、減設された基地局１００Ｂに対応する通信条件を記憶部２２０Ａから削除し、基地局２００Ｂが増設された場合には、所定の通信条件を、増設された基地局２００Ｂと対応付けて記憶部２２０Ａに新たに記憶させる変更部２３３と、を備える。
【０１６６】
通信条件送信部２４０Ａは、基地局２００Ｂが増設された場合、記憶部２２０Ａに新たに記憶された所定の通信条件を、増設された基地局１００Ｂに送信する。通信条件受信部１４０Ａは、通信条件送信部２４０Ａから送信される所定の通信条件を受信する。条件設定部１２０Ａは、所定の通信条件を設定する。
【０１６７】
このように、通信条件送信部２４０Ａは、基地局２００Ｂが増設された場合、記憶部２２０Ａに新たに記憶された所定の通信条件を、増設された基地局１００Ｂに送信する。条件設定部１２０Ａは、所定の通信条件を設定する。従って、基地局１００Ｂの保守者は、新たに増設された基地局１００Ｂ−３に対して、通信条件を設定する必要がない。この結果、基地局１００Ｂの保守者が通信条件を設定する場合と比較して、基地局１００Ｂの保守運営費を低減することができ、低コスト化を図ることができる。また、基地局１００Ｂの保守者が通信条件を調整する必要がないので、保守者により通信条件の調整ミス等といったオペレーションミスを抑制することができる。
【０１６８】
以上、実施の形態を基に本発明を説明した。実施の形態は例示であり、本発明の主旨から逸脱しない限り、上述の実施の形態に対して、様々な変更、増減、組合せを加えてもよい。
【符号の説明】
【０１６９】
１００、１００Ａ、１００Ｂ  基地局
１１０  取得部
１２０、１２０Ａ  条件設定部
１３０  通信情報送信部
１４０、１４０Ａ  通信条件受信部
１５０  第１の制御部
１６０  要求信号送信部
１７０  通知送信部
２００、２００Ａ  監視サーバ
２１０  通信情報受信部
２２０、２２０Ａ  記憶部
２３０、２３０Ａ、２３０Ｂ  第２の制御部
２３１  判断部
２３２、２３２Ａ  調整部
２３３  変更部
２４０、２４０Ａ  通信条件送信部
２５０  要求信号受信部
２６０  通知受信部
３００  ＬＴＥネットワーク
４００  ＥＰＣ
５００  コアネットワーク
６００  セル
１０００、１０００Ａ、１０００Ｂ  通信システム
【図１】
2015192316.tif 000003
【図２】
2015192316.tif 000004
【図３】
2015192316.tif 000005
【図４】
2015192316.tif 000006
【図５】
2015192316.tif 000007
【図６】
2015192316.tif 000008
【図７】
2015192316.tif 000009
【図８】
2015192316.tif 000010
【図９】
2015192316.tif 000011
【図１０】
2015192316.tif 000012